【事件の表示】
　特許第２９２２４９９号「積層紙」の特許に対する特許異議の申立てについて、次のとおり決定する。
【結　論】
　訂正を認める。
　特許第２９２２４９９号の請求項１〜５に係る特許を維持する。
【理　由】
１．手続の経緯
　特許第２９２２４９９号に係る出願は、平成１０年６月２６日に特許出願され、平成１１年４月３０日にその特許の設定登録がなされ、その後、西田穣及び小林淳子より特許異議の申立がなされ、取消理由通知がなされ、その指定期間内である平成１２年６月１９日に訂正請求がなされ、平成１２年７月４日付けで手続補正書が提出されたものである。
　
２．訂正の適否についての判断
２の１．訂正事項
（なお、上記平成１２年７月４日付けでした手続補正は、平成１２年６月１９日付けの訂正請求に係る訂正明細書に欠落していた段落番号「【０００９】」のみを単に追記したものにすぎず、実質上、訂正事項を更に訂正するものには該当しない。）
（１）訂正事項ａ−１
　請求項１の
「紙素材からなる第１紙層と第２紙層とが、水離解性の防湿剤よりなる防湿剤層を介して積層されており、その防湿剤層には充填剤が分散されている積層紙。」
との記載を、
「紙素材からなる第１紙層と第２紙層とが、水離解性の防湿剤よりなる防湿剤層を介して積層された積層紙であって、その防湿剤層には充填剤が分散されており、その充填剤が樹脂ビーズであることを特徴とする積層紙。」
と訂正する。
（２）訂正事項ａ−２
　特許請求の範囲の
「【請求項４】上記充填剤が樹脂ビーズである請求項１から３のいずれかに記載の積層紙。」
との記載を削除する。
（３）訂正事項ａ−３
　特許請求の範囲の
「【請求項５】防湿剤層における上記充填剤の配合量が、固形分換算で０．２重量％以上５０重量％以下である請求項１から４のいずれかに記載の積層紙。」
との記載を、
「【請求項４】防湿剤層における上記充填剤の配合量が、固形分換算で０．２重量％以上５０重量％以下である請求項１から３のいずれかに記載の積層紙。」
と訂正する。
（４）訂正事項ａ−４
　特許請求の範囲の
「【請求項６】上記充填剤のかさ比重が、０．８ｇ／ｃｍ３　以上２．０ｇ／ｃｍ３ 以下である請求項１から５のいずれかに記載の積層紙。」
との記載を、
「【請求項５】上記充填剤のかさ比重が、０．８ｇ／ｃｍ３　以上２．０ｇ／ｃｍ３ 以下である請求項１から４のいずれかに記載の積層紙。」
と訂正する。
（５）訂正事項ａ−５
　明細書の段落【０００８】（本件特許公報第４欄１〜６行）の
「【課題を解決するための手段】前述の目的を達成するためになされた発明は、紙素材からなる第１紙層と第２紙層とが、水離解性の防湿剤を介して積層されており、その防湿剤層には充填剤が分散されている積層紙、である（請求項１）。」
との記載を、
「【課題を解決するための手段】前述の目的を達成するためになされた発明は、紙素材からなる第１紙層と第２紙層とが、水離解性の防湿剤を介して積層された積層紙であって、その防湿剤層には充填剤が分散されており、その充填剤が樹脂ビーズであることを特徴とする積層紙、である。」
と訂正する。
（６）訂正事項ａ−６
　明細書の段落【００１１】（同公報第４欄２０〜２６行）の
「充填剤による均一な厚み効果を得るには、充填剤の形状は略球状が好ましい（請求項２）。また、積層紙の適切な防湿性能を得るには、略球状の充填剤のの平均粒子直径を１マイクロメータ以上１００マイクロメーター以下とするのが好ましい（請求項３）。さらに、充填剤として、それ自体が防湿性を備えた樹脂ビーズを用いるのが好ましい（請求項４）。」
との記載を、
「充填剤による均一な厚み効果を得るには、充填剤の形状は略球状が好ましい。また、積層紙の適切な防湿性能を得るには、略球状の充填剤のの平均粒子直径を１マイクロメータ以上１００マイクロメーター以下とするのが好ましい。さらに、充填剤として、それ自体が防湿性を備えた樹脂ビーズを用いるのが好ましい。」
と訂正する。
（７）訂正事項ａ−７
　明細書の段落【００１２】（同公報第４欄２７〜３１行）の
「この積層紙を用いて再生される再生紙の品質を維持しつつ、充填剤による厚み維持効果を得るには、防湿剤層における充填剤の配合量を固形分換算で、０．２重量％以上５０重量％以下とすればよい（請求項５）。」
との記載を、
「この積層紙を用いて再生される再生紙の品質を維持しつつ、充填剤による厚み維持効果を得るには、防湿剤層における充填剤の配合量を固形分換算で、０．２重量％以上５０重量％以下とすればよい。」
と訂正する。
（８）訂正事項ａ−８
　明細書の段落【００１３】（同公報第４欄３２〜３４行）の
「また、防湿剤の塗工作業を容易とするには、かさ比重が０．８ｇ／ｃｍ３以上２．０ｇ／ｃｍ３である充填剤を用いるのが好ましい（請求項６）。」
との記載を、
「また、防湿剤の塗工作業を容易とするには、かさ比重が０．８ｇ／ｃｍ３以上２．０ｇ／ｃｍ３である充填剤を用いるのが好ましい。」
と訂正する。
（９）訂正事項ｂ−１
　特許請求の範囲の
「【請求項７】充填剤が配合された防湿剤を紙素材からなる第１紙層上に塗工し、その防湿剤が硬化しないうちにその塗工面上に紙素材からなる第２紙層を積層して加圧し、硬化させる工程を含む積層紙の製造方法。」
との記載を削除する。
（１０）訂正事項ｂ−２
　発明の名称の
「積層紙及びその製造方法」
との記載を、
「積層紙」
と訂正する。
（１１）訂正事項ｂ−３
　明細書の段落【０００９】（同公報第４欄７〜１１行）の記載事項を削除する。
（１２）訂正事項ｂ−４
　明細書の段落【０００１】（同公報第２欄１０行〜第３欄１行）の
「【発明の属する技術分野】本発明は、例えばプレーンペーパーコピー用紙（ＰＰＣ用紙）、アクリル板等の樹脂板、スチールコイル、鋼板、製紙巻取、薬品、セメント、食品等の包装等に用いられる積層紙及びその製造方法に関するものであり、より詳しくは、防湿剤層を介して２枚の紙層が積層された積層紙及びその製造方法に関するものである。」
との記載を、
「【発明の属する技術分野】本発明は、例えばプレーンペーパーコピー用紙（ＰＰＣ用紙）、アクリル板等の樹脂板、スチールコイル、鋼板、製紙巻取、薬品、セメント、食品等の包装等に用いられる積層紙に関するものであり、より詳しくは、防湿剤層を介して２枚の紙層が積層された積層紙に関するものである。」
と訂正する。
（１３）訂正事項ｂ−５
　明細書段落【０００７】（同公報第３欄４６〜５０行）の
「本発明はこの問題に鑑みてなされたものであり、積層後に加圧されても紙素材に含浸する防湿剤が少なく、このため防湿効果が高められた、水離解容易な積層紙及びその製造方法を提供することをその目的とする。」
との記載を、
「本発明はこの問題に鑑みてなされたものであり、積層後に加圧されても紙素材に含浸する防湿剤が少なく、このため防湿効果が高められた、水離解容易な積層紙を提供することをその目的とする。」
と訂正する。
（１４）訂正事項ｂ−６
　明細書段落【００１０】（同公報第４欄１３〜１９行）の
「これら発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」
との記載を、
「この発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」
と訂正する。
　
２の２．訂正の目的の適否、新規事項の有無及び拡張・変更の存否等
（１）訂正事項ａ−１〜訂正事項ａ−４について
　上記訂正事項ａ−１は、実質上、訂正前の請求項１に係る発明の構成中の「充填剤」を訂正前の請求項４に係る発明の構成要件であり「充填剤」の下位概念に相当する「樹脂ビーズ」に限定するものである点で、特許請求の範囲の減縮に相当し、新規事項の追加に該当せず、実質上特許請求の範囲を拡張し、又は、変更するものではない。
　また、訂正事項ａ−２〜訂正事項ａ−４は、訂正事項ａ−１に伴って、整合性をとるために単に整理されたものにすぎず、その訂正内容に何ら問題はない。
　また、上記訂正は、願書に最初に添付した明細書に記載した事項の範囲内においてなされたものである。
（２）訂正事項ｂ−１について
　上記訂正は、訂正前の請求項７に係る「積層紙の製造方法」の発明を削除するものであるから、特許請求の範囲の減縮に相当し、新規事項の追加に該当せず、実質上特許請求の範囲を拡張し、又は変更するものではない。
　また、上記訂正は、願書に最初に添付した明細書に記載した事項の範囲内においてなされたものである。
（３）その他の訂正事項について
　その他の訂正事項は、いずれも訂正事項ａ−１〜訂正事項ａ−４及び訂正事項ｂ−１による特許請求の範囲の訂正に伴い必要となる、明細書中の明りょうでない記載の釈明に相当すると認められ、いずれも実質上特許請求の範囲を拡張し、又は変更するものではない。
　また、上記訂正は、願書に最初に添付した明細書に記載した事項の範囲内においてなされたものである。
　
２の３．独立特許要件の判断
（１）訂正発明
　上記訂正の結果、本件請求項１〜５に係る発明（以下、「本件訂正発明１」、「本件訂正発明２」等という。）は、上記訂正明細書の請求項１〜５に記載された次のとおりのものである。
　
【請求項１】紙素材からなる第１紙層と第２紙層とが、水離解性の防湿剤よりなる防湿剤層を介して積層された積層紙であって、その防湿剤層には充填剤が分散されており、その充填剤が樹脂ビーズであることを特徴とする積層紙。
【請求項２】上記充填剤の形状が、略球状である請求項１に記載の積層紙。
【請求項３】充填剤の平均粒子直径が１マイクロメーター以上１００マイクロメーター以下である請求項２に記載の積層紙。
【請求項４】防湿剤層における上記充填剤の配合量が、固形分換算で０．２重量％以上５０重量％以下である請求項１から３のいずれかに記載の積層紙。
【請求項５】上記充填剤のかさ比重が、０．８ｇ／ｃｍ３　以上２．０ｇ／ｃｍ３ 以下である請求項１から４のいずれかに記載の積層紙。
　
 （２）取消理由の概要
　本件訂正前明細書の請求項１〜３，５〜７に係る発明は、本件訂正前明細書の請求項１〜３，５〜７に記載された次のとおりのものである。
　
（請求項１）「紙素材からなる第１紙層と第２紙層とが、水離解性の防湿剤よりなる防湿剤層を介して積層されており、その防湿剤層には充填剤が分散されている積層紙。」
（請求項２）「上記充填剤の形状が、略球状である請求項１に記載の積層紙。」
（請求項３）「上記充填剤の平均粒子直径が１マイクロメーター以上１００マイクロメーター以下である請求項２に記載の積層紙。」
（請求項５）「防湿剤層における上記充填剤の配合量が、固形分換算で０．２重量％以上５０重量％以下である請求項１から４のいずれかに記載の積層紙。」
（請求項６）「上記充填剤のかさ比重が、０．８ｇ／ｃｍ３　以上２．０ｇ／ｃｍ３ 以下である請求項１から５のいずれかに記載の積層紙。」
（請求項７）「充填剤が配合された防湿剤を紙素材からなる第１紙層上に塗工し、その防湿剤が硬化しないうちにその塗工面上に紙素材からなる第２紙層を積層して加圧し、硬化させる工程を含む積層紙の製造方法。」
　
　これに対して、取消理由の概要は次のとおりである。
「１．本件の請求項１，２，３，５，６及び７に係る特許発明は、その特許出願前に国内において頒布された下記Ａの刊行物に記載された発明であるから、特許法第２９条第１項第３号に該当するので、本件特許は特許法第１１３条第１項第２号の規定に該当し、取り消されるべきものである。
２．本件の請求項１及び７に係る特許発明は、本件特許出願の出願日前の下記Ｂの特許出願であって本件特許出願後に出願公開がされたものの願書に最初に添付した明細書又は図面に記載された発明と同一と認められ、また、本件特許出願の時に本件特許出願の出願人が下記の特許出願の出願人と同一とは認められず、更に、下記の特許出願に係る発明をした者が本件特許出願に係る発明者と同一の者とは認められないので、特許法第２９条の２の規定により特許を受けることができないものであることから、本件特許は特許法第１１３条第１項第２号の規定に該当し、取り消されるべきものである。　
記
Ａ．特開閉６−３３０４９７号公報
Ｂ．特願平８−３５４５７７号（特開平１０−１８３４９８号公報参照）」
　
（３）取消理由の適否判断
（３−１）引用例Ａとして示した特開閉６−３３０４９７号公報には、概略、次のとおり記載されている。
イ．「・・アタクチックプロピレン系重合体１５〜１００重量％および無機質充填剤０〜８５重量％からなる・・の樹脂または樹脂組成物による塗工層を有することを特徴とする防湿加工紙。」【請求項１】
ロ．「本発明は、既存の設備を利用して再生紙に抄造することが可能な防湿加工紙に関する。」【０００１】
ハ．「本発明は、古紙を再生紙化する場合に防湿層に利用した樹脂の溶融、浸み出しが無く、通常の再生紙の製造設備を利用して再生紙化することのできる防湿再生紙を提供する。」【０００８】
ニ．「防湿加工紙における塗工層中に必要に応じて添加される
無機質充填剤
ガラスビーズ
ホ．「防湿加工紙の製造について、・・紙に対する塗工層の形成は、通常の樹脂による塗工層の形成方法と同様に行われ、例えば、押出しラミネート、コーターを利用する積層方法等の全ての方法を利用することができる。」【００３４】〜【００３５】
ヘ．「実施例１・・防湿加工紙（１）を水中で離解し、１重量％の解離パルプを得た後・・にて異物を除去し、これを抄造することにより、防湿加工紙（１）による再生紙（２）を得た。」【００３８】〜【００４３】
ト．「実施例２・・アタクチックポリプロピレン・・６０重量部を１６５℃で溶融させ、これに
タルク
チ．「実施例１における防湿加工紙の再生紙化方法と同一の方法により、防湿加工紙（３）による再生紙（４）を得た。」【００４９】
リ．「本発明の防湿加工紙は、・・吸湿を嫌う食品や粉末状の合成洗剤等の包装用材として優れた作用を奏する。・・再生紙化の工程において・・再生紙の的確な製造を行うことができ、また、ロール巻き状態の抄造紙をも得ることができ、省資源及び環境汚染の防止の両面において極めて優れた効果を奏する。」【００６２】〜【００６４】
（３−１−１）対比・判断　
　引用例Ａには、本件訂正発明１の要件である「その充填剤が樹脂ビーズであること」について開示するところがない。従って、もはや、本件訂正発明１が引用例Ａに記載された発明であるとすることはできない。また、訂正明細書の請求項２〜５は請求項１を引用していることから、本件訂正発明２〜５についても同様である。
　
（３−２）引用例Ｂとして示した特願平８−３５４５７７号明細書（特開平１０−１８３４９８号公報）には、概略、次のとおり記載されている。
イ．「紙材からなる第１の層と、紙材からなる第２の層と、前記第１の層と前記第２の層との間に位置する少なくとも１つの防湿層とを有してなる防湿紙であって、前記防湿層は、防湿性と水離解性とを有するものであることを特徴とする防湿紙。」【請求項１】
ロ．「また、防湿層３中には、例えば・・充填剤（填料）・・等の各種添加剤が必要に応じ添加されていてもよい。」【００３４】
ハ．「そして、第１の層１ａ上に防湿層３が形成されている。防湿紙１０の製造は、ウエットラミネート方式で行われるのが好ましく、例えば、防湿層３を形成するための所望に調整された塗布液を第１の層１の面１ａに塗布して防湿層（湿潤状態）３を形成し、次いで、これらと第２の層２とを重ね合わせ（圧着し）、ドライヤで乾燥することにより製造される。このとき、第１の層のツヤ面である面１ａ上に防湿層３を塗布形成するため、その塗布液を均一な厚さに塗布することができ、少ない目付量（塗布液使用量）で高い防湿性を得ることができるとともに、防湿層３の均一性、均質性も高まる。」【００４１】
ニ．「本発明の防湿紙によれば、優れた防湿性を確保しつつ、水離解性を得ることができ、よって、リサイクルが可能となる。」【００７８】
（３−２−１）対比・判断　
　引用例Ｂには、本件訂正発明１の要件である「その充填剤が樹脂ビーズであること」について開示するところがない。従って、もはや、本件訂正発明１が引用例Ｂに記載された発明と同一であるとすることはできない。また、訂正明細書の請求項２〜５は請求項１を引用していることから、本件訂正発明２〜５についても同様である。
　
（３−３）また、他に本件訂正発明１〜５が特許出願の際独立して特許を受けることができないとすべき理由を発見しない。
　
２の４．むすび
　以上のとおりであるから、平成１２年６月１９日付けの訂正は、特許法１２０条の４第２項第１号及び第３号並びに同条第３項で準用する同法第１２６条第２〜４項の規定に適合するので、当該訂正を認める。
　
３．特許異議申立についての判断
３の１．本件発明
　上記明細書の適法な訂正の結果、本件請求項１〜５に係る発明（以下、順に「本件発明１」、「本件発明２」等という。）は、全文訂正明細書の特許請求の範囲の請求項１〜５に記載された、上記２の３．（１）に記載したとおりのものである。
　
３の２．申立人西田穣による申立の理由の概要
　申立人西田穣は、甲第１号証（特願平８−３５４５７７号明細書（特開平１０−１８３４９８号公報））、甲第２号証（特開平９−２９５６３５号公報）、甲第３号証（特開平５−２７９９８７号公報）、甲第４号証（化学便覧　応用化学編ＩＩ　材料編　日本化学会編（昭和６１年１０月１５日、丸善（株）発行）第１１６１〜１１６７頁）、甲第５号証（特開平６−１９１５５３号公報）、甲第６号証（特開昭５７−８２５９５号公報）、及び、甲第７号証（特開平８−２２６０９６号公報）を提示して、
（１）訂正前の請求項１又は７に係る発明は、甲第１号証に記載された発明と同一であるから、該発明に係る本件特許は、特許法第２９条の２の規定に違反してなされたものであり、特許法第１１３条第２号の規定により取り消すべきものであり、
（２）訂正前の請求項１〜７に係る発明は甲第２〜７号証記載記載の発明に基づき当業者が容易に発明をすることができたものであるから、該発明に係る本件特許は、特許法第２９条第２項の規定に違反してなされたものであり、特許法第１１３条第２号の規定により取り消すべきものである、
と主張する。
　
 ３の２の１．当審の判断
Ａ．主張（１）について
　申立人の主張は取消理由通知と同趣旨であり、適法な明細書の訂正の結果、もはや本件発明１〜５が上記甲第１号証記載の発明とは同一ではないことは、上記２の３．（３−２−１）で述べたとおりである。
　従って、主張（１）は妥当なものとはいえない。
　
Ｂ．主張（２）について
Ｂの１．甲各号証の記載事項
　甲第２号証（特開平９−２９５６３５号公報）には、概略、
ア．「一対の紙層の中間に、合成樹脂エマルジョンからなる合成樹脂層を設けた３層構造の重層紙」（特許請求の範囲、請求項１）、
イ．「本発明の段ボール容器に使用される段ボールシートは、重層紙の中間層が合成樹脂エマルジョンからなるものであるため・・水離解が容易で、段ボールとして使用後は再生が容易であり、かつ中間層の水蒸気バリヤー性は透湿度・・となり、青果物に対し鮮度保持硬化を有する」こと（第３欄１５〜２２行）、及び、
ウ．中間層を形成する合成樹脂エマルジョンに染料及び顔料が使用できること（第３欄４５行〜第４欄３行、第４欄３３〜４７行）が、記載されている。
　甲第３号証（特開平５−２７９９８７号公報）には、概略、中質紙の填料として無機顔料や「ポリスチレン樹脂微粒子」等の有機顔料が用いることができること（第５欄３０〜４１行）が記載されている。
　甲第４号証（化学便覧　応用化学編ＩＩ　材料編　日本化学会編（昭和６１年１０月１５日、丸善（株）発行）第１１６１〜１１６７頁）には、概略、ポリマーの「おもな充填剤」無機物及び有機物が例示されている（１１６２頁「表１５．８４」、１１６７頁「表１５．１００」）。
　甲第５号証（特開平６−１９１５５３号公報）には、概略、「スチレン・アクリル共重合物に無機系多孔質剤を混合して生成されたコート剤により表面処理が施されてなる易解離性加工紙」（特許請求の範囲、請求項１）が記載されている。
　甲第６号証（特開昭５７−８２５９５号公報）には、概略、白色無機質顔料、接着剤、及び、ポリスチレン系球状高分子重合体顔料からなる塗被層を基紙面に設けること（第２頁左上欄１３行〜右上欄２行）が記載されている。
　甲第７号証（特開平８−２２６０９６号公報）には、概略、アクリル系エマルジョン、ワックス系エマルジョン、及び、無機系顔料を含有する塗被層を紙基材表面に設けること（特許請求の範囲、請求項１）が記載されている。
Ｂの２．対比・判断
　本件発明１（前者）と上記甲第２号証記載の発明（後者）とを対比するに、上記甲第２号証イ．の記載からみて、後者に係る「合成樹脂エマルジョンからなる合成樹脂層」は防湿効果及び水離解性を有すると認められることから、両者は、実質上、「紙素材からなる第１紙層と第２紙層とが、水離解性の防湿剤よりなる防湿剤層を介して積層された積層紙」である点で一致し、前者の構成要件である「その防湿剤層には充填剤が分散されており、その充填剤が樹脂ビーズである」点が、上記甲第２号証には開示されていない点で相違する。
　上記相違点について更に検討するに、訂正明細書記載のとおり、前者は「積層後に加圧されても紙素材に含浸する防湿剤が少なく、このため防湿性能が高められた、水離解容易な積層紙を提供すること」（明細書段落【０００７】）を解決すべき課題とし、このため、「その防湿剤層には充填剤が分散されており、その充填剤が樹脂ビーズである」との構成を採用したものである。そして、上記甲第２〜７号証の記載事項を検討しても、前者に係る前記課題を示唆する記載は存在しない。更に、上記甲第３号証に、中質紙の填料として「ポリスチレン樹脂微粒子」等を用いることが、また、上記甲第６号証に、ポリスチレン系球状高分子重合体顔料からなる塗被層を基紙面に設けることが記載されているとしても、後者に係る「合成樹脂エマルジョンからなる合成樹脂層」に「ポリスチレン樹脂微粒子」等を配合することには合理的動機付けを見出すことができない。
　そして、前者は、「この発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」（明細書段落【００１０】）との作用・効果を奏するものと認められる。　
　従って、本件発明１が、上記甲第２〜７号証記載の発明から当業者に容易に想到し得たものであったとはいえない。また、本件請求項２〜５は本件請求項１を引用しているから、本件発明２〜５についても同様である。
　
３の３．申立人小林淳子による申立の理由の概要
　申立人小林淳子は、甲第１号証（特開平６−３３０４９７号公報）、甲第２号証（特開平７−１６９９１号公報）、甲第３号証（「紙と加工の薬品事典」（平成３年２月２５日、（株）テックタイムス発行）５５〜５６頁、１６２頁、１７４頁、１９３〜１９５頁、２２６〜２２７頁、２４８〜２４９頁）、及び、甲第４号証（特願平８−３５４５７７号明細書（特開平１０−１８３４９８号公報））を提示して、
（１）訂正前の請求項１，２，５及び７に係る発明は、甲第１号証に記載された発明であるから、該発明に係る本件特許は、特許法第２９条第１項第３号の規定に違反してなされたものであり、特許法第１１３条第２号の規定により取り消すべきものであり、
（２）訂正前の請求項１，２，５，６及び７に係る発明は、甲第２号証に記載された発明であるから、該発明に係る本件特許は、特許法第２９条第１項第３号の規定に違反してなされたものであり、特許法第１１３条第２号の規定により取り消すべきものであり、
（３）訂正前の請求項１〜７に係る発明は甲第１号証及び甲第３号証記載の発明に基づき当業者が容易に発明をすることができたものであるから、該発明に係る本件特許は、特許法第２９条第２項の規定に違反してなされたものであり、特許法第１１３条第２号の規定により取り消すべきものであり、
（４）訂正前の請求項１，２，３，４，６及び７に係る発明は、甲第４号証に記載された発明と同一であるから、該発明に係る本件特許は、特許法第２９条の２の規定に違反してなされたものであり、特許法第１１３条第２号の規定により取り消すべきものである、
と主張する。
　
３の３の１．当審の判断
Ａ．主張（１）について
　申立人の主張は取消理由通知と同趣旨であり、適法な明細書の訂正の結果、もはや本件発明１〜５が上記甲第１号証記載の発明ではないことは、上記２の３．（３−１−１）で述べたとおりである。
　従って、主張（１）は妥当なものとはいえない。
　
Ｂ．主張（２）について
Ｂの１．甲第２号証（特開平７−１６９９１号公報）の記載事項
　上記甲第２号証には、概略、次のとおり記載されている。
ア．「離解可能な抄紙繊維を主成分として含む２枚の紙層と、これら２枚の紙層の間に挟持接合されており、かつワックスと・・水不溶性合成樹脂と、およびロジン変性樹脂との混合物を主成分として含む防湿中間層とを有し・・防湿包装シート材料。」（特許請求の範囲、請求項１）
イ．「防湿性に優れ、折れ割れによる防湿性の減少が殆どなく、且つ水中で容易に離解して抄紙様原料として再使用可能な防湿包装シート材料に関する」（第１欄１８〜２１行）
ウ．「本発明に用いられるワックスは・・ポリエチレンワックス等・・」（第５欄１５〜２８行）
エ．「ロジン変性樹脂を水性エマルジョンの形で用いるが、これは前記の変性樹脂に乳化剤を配合して公知の方法で乳化分散して得ることができる。」（第７欄４０〜４２行）
Ｂの２．対比・判断
　本件発明１は、「その防湿剤層には充填剤が分散されており、その充填剤が樹脂ビーズであること」を構成要件とするのに対し、上記甲第２号証記載の発明に係る「ワックスと・・水不溶性合成樹脂と、およびロジン変性樹脂との混合物を主成分として含む防湿中間層」に充填剤としての樹脂ビーズに相当する成分が含有されているものとは認められない。
　従って、本件発明１は上記甲第２号証記載の発明とはいえない。また、本件請求項２〜４は本件請求項１を引用しているから、本件発明２〜５についても同様である。
　
Ｃ．主張（３）について
Ｃの１．甲第３号証（「紙と加工の薬品事典」（平成３年２月２５日、（株）テックタイムス発行）５５〜５６頁、１６２頁、１７４頁、１９３〜１９５頁、２２６〜２２７頁、２４８〜２４９頁）の記載事項
　甲第３号証には、概略、製紙用「顔料」として「プラスチックピグメント」を用いること（第５５頁〜第５６頁）、「低分子量ポリエチレン（ポリエチレンワックス）」は粉末またはペレット状であること（第１６２頁）、「填料」として「尿素樹脂系填料」が「平均径が５〜１０μｍの凝集体構造（二次粒子）」であること（第１９３〜１９５頁）、「プラスチックピグメント」が直径０．２〜０．６μの球状ポリスチレンであること（第２２６〜２２７頁）、及び、「分岐状低密度ポリエチレン」の密度が０．９１５〜０．９３０であること（第２４８〜２４９頁）が、記載されている。
Ｃの２．対比・判断
　本件発明１（前者）と甲第１号証（取消理由通知の引用例Ａと同一である）記載の発明（後者）とを対比するに、甲第１号証には、上記２の３．（３−１）のとおり記載されているから、前者に係る「紙素材からなる第１紙層と第２紙層とが、防湿剤よりなる防湿剤層を介して積層された積層紙」の点については、上記２の３．（３−１）イ．及びト．のとおり後者と同一である。また、前者に係る「水離解性の防湿剤」の点については、上記２の３．（３−１）へ．及びチ．の「防湿加工紙（１）を水中で離解し」の開示の点からみて、後者と実質上同一である。また、前者に係る「その防湿剤層には充填剤が分散されており」の点については、上記２の３．（３−１）ニ．びト．の点からみて、後者と同一である。ただし、前者に係る「その充填剤が樹脂ビーズであること」については、上記甲第１号証には記載も示唆もないところから、この点で両者は相違している。
　上記相違点について、更に検討するに、訂正明細書記載のとおり、前者は「積層後に加圧されても紙素材に含浸する防湿剤が少なく、このため防湿性能が高められた、水離解容易な積層紙を提供すること」（明細書段落【０００７】）を解決すべき課題とし、このため、「その防湿剤層には充填剤が分散されており、その充填剤が樹脂ビーズである」との構成を採用したものである。そして、上記甲第１号証及び甲第３号証の記載事項を検討しても、前者に係る前記課題を示唆する記載は存在しない。更に、上記甲第３号証に製紙用「顔料」乃至「填料」として、「球状ポリスチレン」等を用いることが記載されているとしても、後者に係る「ガラスビーズ」等の無機質充填剤に代えて、「球状ポリスチレン」等を配合することには合理的動機付けを見出すことができない。
　そして、前者は、「この発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」（明細書段落【００１０】）との作用・効果を奏するものと認められる。　
　従って、本件発明１が、上記甲第１号証及び甲第３号証記載の発明から当業者に容易に想到し得たものであったとはいえない。また、本件請求項２〜５は本件請求項１を引用しているから、本件発明２〜５についても同様である。
　
Ｄ．主張（４）について
　申立人の主張は取消理由通知と同趣旨であり、適法な明細書の訂正の結果、もはや本件発明１〜５が上記甲第４号証記載の発明とは同一ではないことは、上記２の３．（３−２−１）で述べたとおりである。
　従って、主張（４）は妥当なものとはいえない。
　
４．むすび
　以上のとおりであるから、特許異議申立ての理由及び証拠によっては、本件請求項１〜５に係る発明の特許を取り消すことはできない。
　また、他に本件請求項１〜５に係る特許を取り消すべき理由を発見しない。
　よって、結論のとおり決定する。
【異議決定日】
平成１２年８月２３日（２０００．８．２３）
【訂正の要旨】
（１）訂正事項ａ−１
　請求項１の
「紙素材からなる第１紙層と第２紙層とが、水離解性の防湿剤よりなる防湿剤層を介して積層されており、その防湿剤層には充填剤が分散されている積層紙。」
との記載を、
「紙素材からなる第１紙層と第２紙層とが、水離解性の防湿剤よりなる防湿剤層を介して積層された積層紙であって、その防湿剤層には充填剤が分散されており、その充填剤が樹脂ビーズであることを特徴とする積層紙。」
と訂正する。
（２）訂正事項ａ−２
　特許請求の範囲の
「【請求項４】上記充填剤が樹脂ビーズである請求項１から３のいずれかに記載の積層紙。」
との記載を削除する。
（３）訂正事項ａ−３
　特許請求の範囲の
「【請求項５】防湿剤層における上記充填剤の配合量が、固形分換算で０．２重量％以上５０重量％以下である請求項１から４のいずれかに記載の積層紙。」
との記載を、
「【請求項４】防湿剤層における上記充填剤の配合量が、固形分換算で０．２重量％以上５０重量％以下である請求項１から３のいずれかに記載の積層紙。」
と訂正する。
（４）訂正事項ａ−４
　特許請求の範囲の
「【請求項６】上記充填剤のかさ比重が、０．８ｇ／ｃｍ３以上２．０ｇ／ｃｍ３以下である請求項１から５のいずれかに記載の積層紙。」
との記載を、
「【請求項５】上記充填剤のかさ比重が、０．８ｇ／ｃｍ３以上２．０ｇ／ｃｍ３以下である請求項１から４のいずれかに記載の積層紙。」
と訂正する。
（５）訂正事項ａ−５
　明細書の段落【０００８】（本件特許公報第４欄１〜６行）の
「【課題を解決するための手段】前述の目的を達成するためになされた発明は、紙素材からなる第１紙層と第２紙層とが、水離解性の防湿剤を介して積層されており、その防湿剤層には充填剤が分散されている積層紙、である（請求項１）。」
との記載を、
「【課題を解決するための手段】前述の目的を達成するためになされた発明は、紙素材からなる第１紙層と第２紙層とが、水離解性の防湿剤を介して積層された積層紙であって、その防湿剤層には充填剤が分散されており、その充填剤が樹脂ビーズであることを特徴とする積層紙、である。」
と訂正する。
（６）訂正事項ａ−６
　明細書の段落【００１１】（同公報第４欄２０〜２６行）の
「充填剤による均一な厚み効果を得るには、充填剤の形状は略球状が好ましい（請求項２）。また、積層紙の適切な防湿性能を得るには、略球状の充填剤のの平均粒子直径を１マイクロメータ以上１００マイクロメーター以下とするのが好ましい（請求項３）。さらに、充填剤として、それ自体が防湿性を備えた樹脂ビーズを用いるのが好ましい（請求項４）。」
との記載を、
「充填剤による均一な厚み効果を得るには、充填剤の形状は略球状が好ましい。また、積層紙の適切な防湿性能を得るには、略球状の充填剤のの平均粒子直径を１マイクロメータ以上１００マイクロメーター以下とするのが好ましい。さらに、充填剤として、それ自体が防湿性を備えた樹脂ビーズを用いるのが好ましい。」
と訂正する。
（７）訂正事項ａ−７
　明細書の段落【００１２】（同公報第４欄２７〜３１行）の
「この積層紙を用いて再生される再生紙の品質を維持しつつ、充填剤による厚み維持効果を得るには、防湿剤層における充填剤の配合量を固形分換算で、０．２重量％以上５０重量％以下とすればよい（請求項５）。」
との記載を、
「この積層紙を用いて再生される再生紙の品質を維持しつつ、充填剤による厚み維持効果を得るには、防湿剤層における充填剤の配合量を固形分換算で、０．２重量％以上５０重量％以下とすればよい。」
と訂正する。
（８）訂正事項ａ−８
　明細書の段落【００１３】（同公報第４欄３２〜３４行）の
「また、防湿剤の塗工作業を容易とするには、かさ比重が０．８ｇ／ｃｍ３以上２．０ｇ／ｃｍ３である充填剤を用いるのが好ましい（請求項６）。」
との記載を、
「また、防湿剤の塗工作業を容易とするには、かさ比重が０．８ｇ／ｃｍ３以上２．０ｇ／ｃｍ３である充填剤を用いるのが好ましい。」
と訂正する。
（９）訂正事項ｂ−１
　特許請求の範囲の
「【請求項７】充填剤が配合された防湿剤を紙素材からなる第１紙層上に塗工し、その防湿剤が硬化しないうちにその塗工面上に紙素材からなる第２紙層を積層して加圧し、硬化させる工程を含む積層紙の製造方法。」
との記載を削除する。
（１０）訂正事項ｂ−２
　発明の名称の
「積層紙及びその製造方法」
との記載を、
「積層紙」
と訂正する。
（１１）訂正事項ｂ−３
　明細書の段落【０００９】（同公報第４欄７〜１１行）の記載事項を削除する。
（１２）訂正事項ｂ−４
　明細書の段落【０００１】（同公報第２欄１０行〜第３欄１行）の
「【発明の属する技術分野】本発明は、例えばプレーンペーパーコピー用紙（ＰＰＣ用紙）、アクリル板等の樹脂板、スチールコイル、鋼板、製紙巻取、薬品、セメント、食品等の包装等に用いられる積層紙及びその製造方法に関するものであり、より詳しくは、防湿剤層を介して２枚の紙層が積層された積層紙及びその製造方法に関するものである。」
との記載を、
「【発明の属する技術分野】本発明は、例えばプレーンペーパーコピー用紙（ＰＰＣ用紙）、アクリル板等の樹脂板、スチールコイル、鋼板、製紙巻取、薬品、セメント、食品等の包装等に用いられる積層紙に関するものであり、より詳しくは、防湿剤層を介して２枚の紙層が積層された積層紙に関するものである。」
と訂正する。
（１３）訂正事項ｂ−５
　明細書段落【０００７】（同公報第３欄４６〜５０行）の
「本発明はこの問題に鑑みてなされたものであり、積層後に加圧されても紙素材に含浸する防湿剤が少なく、このため防湿効果が高められた、水離解容易な積層紙及びその製造方法を提供することをその目的とする。」
との記載を、
「本発明はこの問題に鑑みてなされたものであり、積層後に加圧されても紙素材に含浸する防湿剤が少なく、このため防湿効果が高められた、水離解容易な積層紙を提供することをその目的とする。」
と訂正する。
（１４）訂正事項ｂ−６
　明細書段落【００１０】（同公報第４欄１３〜１９行）の
「これら発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」
との記載を、
「この発明によれば、防湿剤層中で充填剤が分散されているため、この充填剤がいわば柱の役目を果たし、積層後の加圧時に主としてこの充填剤が圧力を受けて防湿剤に圧力がかかり難く、防湿剤が第１紙層及び第２紙層に含浸することが少ない。従って、所望の防湿剤厚みを得ることができ、積層紙の防湿性能を維持することができる。」
と訂正する。
（５４）【発明の名称】
積層
紙
（５７）【特許請求の範囲】
　　【請求項１】　紙素材からなる第１紙層と第２紙層とが、水離解性の防湿剤よりなる防湿剤層を介して積層され
た積層紙であって、
　その防湿剤層には充填剤が分散されて
おり、
　
その充填剤が樹脂ビーズであることを特徴とする
　　【請求項２】　上記充填剤の形状が、略球状である請求項１に記載の積層紙。
　　【請求項３】　上記充填剤の平均粒子直径が１マイクロメーター以上１００マイクロメーター以下である請求項２に記載の防湿紙。
　　
【請求項４】
３
　　
【請求項５】
４
【発明の詳細な説明】
　　　【０００１】
　　【発明の属する技術分野】
　本発明は、例えばプレーンペーパーコピー用紙（ＰＰＣ用紙）、アクリル板等の樹脂板、スチールコイル、鋼板、製紙巻取、薬品、セメント、食品等の包装等に用いられる積層
紙
紙
　　　【０００２】
　　【従来の技術】
　プレーンペーパーコピー用紙（ＰＰＣ用紙）、アクリル板等の樹脂板、スチールコイル、鋼板、製紙巻取、薬品、セメント、食品等の包装等に、ポリエチレン等のポリオレフィンからなる防湿層を介してその上下に紙素材が積層された積層紙（「ポリサンド紙」とも称されている）が用いられている。この積層紙では、ポリオレフィンの防湿性能が高いため積層紙を水分が透過せず、このため被包装物の吸湿を防ぐことができる。また、この積層紙は両面が紙素材であるため、ポリオレフィンが直接被包装物に接触することがないばかりか、容易にのり貼りが可能であるという利点を備えている。
　　　【０００３】
　このように、この積層紙は防湿性等には優れるものであるが、ポリオレフィンが含まれることから再生紙として利用しようとしても水中でほとんど離解せず、再利用が困難である。また、廃棄された場合は、ポリオレフインが分解しないため自然環境中に残存し続け、環境破壊を起こしてしまう。さらに、焼却処分された場合は多量の二酸化炭素を排出するので、地球温暖化防止の観点から好ましくない。近年、省資源、環境保護等の気運の高まりとともに、再利用が可能な積層紙が望まれつつあるのが実状である。
　　　【０００４】
　　【発明が解決しようとする課題】
　ワックスエマルジョン、樹脂エマルジョン、ラテックス、これらの混合物等の水離解性の防湿剤を用いて防湿層を形成すれば、積層紙を水中で容易に離解させ、容易に再生することが可能となる。水離解性の防湿剤を用いる場合は、まず紙素材上に防湿剤を塗工し、この上にさらに紙素材を積層し、これらをロール間ニップ通過等の手段により加圧する製造方法が考えられる。
　　　【０００５】
　しかしながら、この製造方法では、未乾燥段階での加圧により防湿剤が上下の紙素材に含浸し、防湿剤層が所望厚みよりも薄くなってしまう。積層紙の防湿性能は防湿剤層の厚みに大きく依存するため、防湿剤層が薄くなると防湿性能が低下してしまう。防湿剤が紙素材に含浸してもなお防湿剤層の厚みを確保するには多量の防湿剤を塗工しなければならず、塗工作業が困難となり、しかも不経済である。
　　　【０００６】
　分子量の大きなポリマーを用いて防湿剤層を形成すれば、加圧による厚み低下を抑えることができる。しかし、一般的に分子量の大きなポリマーは水離解性に劣るため、積層紙を再生紙として再生するのが困難となってしまう。
　　　【０００７】
　本発明はこの問題に鑑みてなされたものであり、積層後に加圧されても紙素材に含浸する防湿剤が少なく、このため防湿性能が高められた、水離解容易な積層
紙
　　　【０００８】
　　【課題を解決するための手段】
　前述の目的を達成するためになされた発明は、
　紙素材からなる第１紙層と第２紙層とが、水離解性の防湿剤よりなる防湿剤層を介して積層され
た積層紙であって、
　その防湿剤層には充填剤が分散されて
おり、
　
その充填剤が樹脂ビーズであることを特徴とする
である。
　　　【０００９】
　　　【００１０】
　
この
　　　【００１１】
　充填剤による均一な厚み維持効果を得るには、充填剤の形状は略球状が好ましい。また、積層紙の適切な防湿性能を得るには、略球状の充填剤のの平均粒子直径を１マイクロメーター以上１００マイクロメーター以下とするのが好ましい。さらに、充填剤として、それ自体が防湿性を備えた樹脂ビーズを用いるのが好ましい。
　　　【００１２】
　この積層紙を用いて再生される再生紙の品質を維持しつつ、充填剤による厚み維持効果を得るには、防湿剤層における充填剤の配合量を固形分換算で０．２重量％以上５０重量％以下とすればよい。
　　　【００１３】
　また、防湿剤の塗工作業を容易とするには、かさ比重が０．８ｇ／ｃｍ３以上２．０ｇ／ｃｍ３以下である充填剤を用いるのが好ましい。
　　　【００１４】
　　【発明の実施の形態】
　以下、適宜図面を参照しつつ、本発明を詳説する。
　　　【００１５】
　図１には本発明の一実施形態にかかる積層紙１の断面図が示されている。この積層紙１は、紙素材からなる第１紙層３と第２紙層５とが防湿剤層７を介して積層されることにより構成されている。
　　　【００１６】
　第１紙層３及び第２紙層５に用いられる紙素材としては、例えば上質紙、中質紙、晒クラフト紙、未晒クラフト紙、片艶未晒クラフト紙、ライナー紙、紙管原紙等を用いることができる。これら紙素材の秤量は特には限定されず、例えば３０ｇ／ｍ２以上３００ｇ／ｍ２のものの中から、使用目的に応じ適宜選択されて用いられる。第１紙層３の紙素材と第２紙層５の紙素材とは、同種のものであっても異種のものであっても構わない。
　　　【００１７】
　防湿剤層７は、防湿剤の固形分により形成されている。この防湿剤層７には充填剤としての樹脂ビーズ９が分散されており、また母剤１１（樹脂ビーズ９以外の部分）を含んでいる。防湿剤層７に用いられる防湿剤は水離解性であり、第１紙層３及び第２紙層５も水離解性であるため、この積層紙１は水中で容易に離解し、再生紙として再利用されうる。
　　　【００１８】
　防湿剤層７に用いられる水離解性の防湿剤としては、ワックスエマルジョン、樹脂エマルジョン、ラテックス、これらの混合物等の既知のものが用いられる。防湿剤には、必要に応じ炭化水素系オリゴマー、界面活性剤、分散剤、安定剤、顔料等が配合されてもよい。
　　　【００１９】
　防湿剤層７に分散される樹脂ビーズ９は、略球状であり、その平均粒子直径は防湿剤層７の厚みとほぼ同等かやや大径（例えば両者の差が３０マイクロメーター以下となる程度）である。このような樹脂ビーズ９を分散させることにより、この樹脂ビーズ９がいわば柱の役目を果たし、防湿剤が未乾燥の段階で積層紙１が加圧されても防湿剤層７が押しつぶされて防湿剤が第１紙層３及び第２紙層５に含浸されてしまうことがなく、樹脂ビーズ９の平均粒子直径とほぼ同等の防湿剤層７の厚みを維持することができる。このように樹脂ビーズ９で防湿剤層７の厚みを規制することにより、積層紙１の防湿性能を高めることが可能となる。
　　　【００２０】
　樹脂ビーズ９の平均粒子直径は、１マイクロメーター以上１００マイクロメーター以下が好ましく、１５マイクロメーター以上６０マイクロメーター以下が特に好ましい。平均粒子直径が上記範囲未満であると、防湿剤層７の厚みが薄くなって積層紙１の防湿性能が不充分となってしまうことがある。逆に、平均粒子直径が上記範囲を越えると、防湿剤層７が厚くなる割には防湿性能の向上効果が頭打ちとなって不経済となるばかりか、積層紙１の重量が大きくなってその取り扱いが困難となってしまうことがある。なお、ここで平均粒子直径は、任意に抽出された１００個の充填剤４の粒子直径の平均値を算出することにより求められる。
　　　【００２１】
　防湿剤層７における樹脂ビーズ９の配合量は、固形分換算で０．２重量％以上５０重量％以下が好ましく、１重量％以上５重量％以下が特に好ましい。配合量が上記範囲未満であると、防湿剤層７の厚み維持効果が充分には発揮されないことがある。逆に、樹脂ビーズ９の配合量が上記範囲を超えると、この積層紙１を再生する際に再生紙中に多量の樹脂ビーズ９が混入して再生紙の品質を低下させてしまうことがある。
　　　【００２２】
　この積層紙１においては、同量の樹脂ビーズ９を配合した場合でも有効に防湿剤層７の厚み維持効果を発揮するという理由より、なるべく粒度分布の少ない樹脂ビーズ９を用いるのが好ましい。
　　　【００２３】
　用いられる樹脂ビーズ９としては、例えば低密度ポリエチレン系、高密度ポリエチレン系、アクリル樹脂系、スチレン樹脂系等の樹脂ビーズ９が挙げられる。また、例えば無機系充填剤等の、樹脂ビーズ９以外の充填剤を分散させても、防湿剤層７の厚み維持効果を発揮させることはできる。但し、積層紙１の防湿性能維持の観点からは、それ自体の防湿性が高い樹脂ビーズ９を用いるのが好ましい。
　　　【００２４】
　樹脂ビーズ９等の充填剤の形状は、例えば線状、ブロック状、板状等であっても構わない。但し、同量の充填剤を配合した場合でも有効に防湿剤層７の厚み維持効果を発揮するいう理由より、線状、ブロック状、板状等のものよりも略球状の充填剤が好ましい。
　　　【００２５】
　用いられる充填剤のかさ比重は、０．８ｇ／ｃｍ３以上２．０ｇ／ｃｍ３以下が好ましく、０．９ｇ／ｃｍ３以上１．５ｇ／ｃｍ３以下が特に好ましい。かさ比重が上記範囲未満であると、防湿剤中で浮いてしまって攪拌時に均一に混合され難く、塗工作業が困難になってしまうことがある。逆に、かさ比重が上記範囲を超えると、防湿剤中で沈んでしまって攪拌時に均一に混合され難く、塗工作業が困難になってしまうことがある。
　　　【００２６】
　次に、図２を用いて、この積層紙の製造方法の一例について説明する。図２は、この積層紙の製造装置の概略が示された模式図である。図２において符号１３ａ、１３ｂで示されているのは加圧ロールであり、符号１５及び符号１７で示されているのはそれぞれ第１搬送ロール及び第２搬送ロールであり、符号１９で示されているのはコーティングロールであり、符号２１で示されているのが防湿剤供給ロールである。
　　　【００２７】
　この装置を用いて積層紙１を製造するには、まず第１紙層３が第１搬送ロール１５によって装置内に送り込まれる。次に、防湿剤供給ロール２１からコーティングロール１９に供給された防湿剤が、このコーティングロール１９により第１紙層３上に塗工され、防湿剤層７が形成される。そして、第２搬送ロール１７によって供給された第２紙層が防湿剤層７の上に積層される。さらに、第１紙層３、防湿剤層７及び第２紙層５が加圧ロール１３ａ、１３ｂ間ニップを通過させられて加圧され、乾燥されて積層紙１が出来上がる。加圧ロール１３ａ、１３ｂ間ニップを通過する際には防湿剤は未乾燥であるが、防湿剤中に樹脂ビーズ９が配合されているのでこの樹脂ビーズ９が主として圧力を受け、母剤１１（図１を参照）が押しつぶされることがない。このため、防湿剤が第１紙層３及び第２紙層５に必要以上に含浸することがなく、防湿剤層７の厚みが維持される。
　　　【００２８】
　この装置ではコーティングロール１９を用いて防湿剤を塗布しているが、防湿剤の塗布方法はこのロールコート法には限られない。例えば、キスロールコーター、バーコーター、ブレードコーター、キスコーター等により、防湿剤を塗工してもよい。
　　　【００２９】
　この製造方法は、防湿剤が未乾燥の段階で第２紙層５を積層する、いわゆるウェットラミネーション法であるが、防湿剤層７に樹脂ビーズ９を分散させてこの防湿剤層７の厚みを維持する本発明は、いわゆるドライラミネーション法等の他の積層方法にも適用することができる。
　　　【００３０】
　この実施形態に係る積層紙１は、第１紙層３、第２紙層５及び防湿剤層７のみから構成されているが、例えば第１紙層３の下側に粘着層が設けられたり」第２紙層５の上側に印刷層が設けられたり等、本発明の要旨を損なわない範囲で種々の設計変更が可能である。
　　　【００３１】
　このように防湿性に優れた積層紙１は、ＰＰＣ用紙、アクリル板等の樹脂板、スチールコイル、鋼板、製紙巻取、薬品、セメント、食品等の包装の他、防湿段ボール、防湿紙管の材料としても用いることができる。
　　　【００３２】
　　【実施例】
　以下、実施例に基づいて本発明を説明するが、この実施例の記載に基づいて本発明が限定的に解釈されるべきでないことはもちろんである。
　　　【００３３】
　　［積層紙の作製］
　　［実施例１］
　スチレン・ブタジエン共重合体を分散質とし、低分子量の炭化水素系オリゴマーが配合されたエマルジョンを用意した。これに、充填剤として、略球状であり、かさ比重が１．２ｇ／ｃｍ３で、平均粒子直径が２０マイクロメーターのアクリルビーズ（積水化学工業株式会社製の商品名「ＭＢＸ−１５」）を、固形分換算で２．０重量％配合して攪拌した。この防湿剤を、１平方メートル当たりの重量が８０ｇである晒クラフト紙にロールコーターにより塗工した。塗工量は固形分換算で１５ｇ／ｍ２とした。これにさらに上記と同様の晒クラフト紙を積層し、ロール間ニップを通過させて加圧し、乾燥させて実施例１の積層紙を得た。
　　　【００３４】
　　［実施例２及び実施例３］
　用いるアクリルビーズを、かさ比重が１．０ｇ／ｃｍ３で、平均粒子直径が３０マイクロメーターのもの（大日精化工業株式会社製の商品名「ラブコロール」）とし、塗布量を固形分換算で２０ｇ／ｍ２とした他は実施例１の積層紙と同様にして、実施例２の積層紙を得た。
　　　【００３５】
　また、用いるアクリルビーズを、かさ比重が１．０ｇ／ｃｍ３で、平均粒子直径が３８マイクロメーターのもの（大日精化工業株式会社製の商品名「ラブコロール」）とし、塗布量を固形分換算で３０ｇ／ｍ２とした他は実施例１の積層紙と同にして、実施例３の積層紙を得た。
　　　【００３６】
　　［比較例１から３］
　防湿剤に樹脂ビーズを配合せず、防湿剤の塗工量を下記の表１に示されるようにした他は実施例１と同様にして、比較例１から３の積層紙を得た。
　　　【００３７】
　　［透湿度の測定］
　これら各実施例及び各比較例の積層紙の透湿度を、ＪＩＳ−Ｚ−０２０８のＢ法に基づいて測定した。その結果が下記の表１に示されている。
　　　【００３８】
　【表１】
　　　【００３９】
　表１において、防湿剤層に樹脂ビーズを分散させている各実施例の積層紙は、分散させていない各比較例の積層紙に比べて透湿度に優れている。これは、樹脂ビーズが防湿剤層の厚みを維持したためである。この実験により、本発明の優位性が証明された。
　　　【００４０】
　　【発明の効果】
　以上説明したように、本発明によれば、積層紙の防湿性能を維持しつつ、しかもその水離解性を高めることができる。
【図面の簡単な説明】
　　【図１】
　図１は、本発明の一実施形態にかかる積層紙の一部が示された断面図である。
　　【図２】
　図２は、図１に示された積層紙の製造方法の一例を示す模式図である。
　　【符号の説明】
　１・・・積層紙
　３・・・第１紙層
　５・・・第２紙層
　７・・・防湿剤層
　９・・・樹脂ビーズ
　１１・・・母剤
　１３ａ、１３ｂ・・・加圧ロール
　１５・・・第１搬送ロール
　１７・・・第２搬送ロール
　１９・・・コーティングロール
　２１・・・防湿剤供給ロール